(57)【要約】【課題】  脱穀および選別処理能力が異なる状態に安価かつ軽量に構成できるコンバイン用脱穀機を提供する。【解決手段】  扱室、扱胴１２、受網を有した脱穀部構造体５０と、選別室、揺動選別装置２１、１番コンベヤ２３、２番コンベヤ２４、排塵ファン３１を有した選別排出部構造体６０を、各別に作製して脱穀選別排出連結線Ａ１，Ａ２で連結してある。回転送風体４３、この回転送風体４３を回転自在に支持する唐箕ケース本体４１を有した唐箕本体構造体４３と、選別排出部構造体６０を各別に作製して唐箕連結線Ｂで連結してある。【選択図】        図２
2005040087.tif 000002
【特許請求の範囲】
【請求項１】
刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機であって、
前記扱室、扱胴、受網を有した脱穀部構造体の脱穀部機壁と、前記選別室、揺動選別装置、１番コンベヤ、２番コンベヤ、排ワラ搬出室、排塵ファンを有した選別排出部構造体の選別排出部機壁の間に、前記脱穀部構造体と前記選別排出部構造体を各別に作製して連結した脱穀選別排出連結線を備え、前記唐箕の回転送風体、この回転送風体を回転自在に支持する唐箕ケース本体を有した唐箕本体構造体の前記唐箕ケース本体と、前記選別排出部機壁の間に、前記唐箕本体構造体と前記選別排出部構造体を各別に作製して連結した唐箕連結線を備えてあるコンバイン用脱穀機。
【請求項２】
刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機であって、
前記扱室、扱胴、受網を備えた脱穀部構造体の脱穀部機壁と、前記選別室、揺動選別装置、１番コンベヤ、２番コンベヤ、唐箕を有した選別部構造体の選別部機壁の間に、前記脱穀部構造体と前記選別部構造体を各別に作製して連結した脱穀選別連結線を備え、前記排ワラ搬出室、排塵ファンを有した排出部構造体の排出部機壁と、前記脱穀部機壁の間に、前記排出部構造体と前記脱穀部構造体を各別に作製して連結した脱穀排出連結線を備え、前記選別部機壁と前記排出部機壁の間に、前記選別部構造体と前記排出部構造体を各別に作製して連結した選別排出連結線を備えてあるコンバイン用脱穀機。
【請求項３】
刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機であって、
前記扱室、扱胴、受網、排ワラ搬出室、排塵ファンを有した脱穀排出部構造体の脱穀排出部機壁と、前記選別室、揺動選別装置、１番コンベヤ、２番コンベヤを備えた選別部構造体の選別部機壁の間に、前記脱穀排出部構造体と前記選別部構造体を各別に作製して連結した脱穀排出選別連結線を備え、前記唐箕の回転送風体、この回転送風体を回転自在に支持する唐箕ケース本体を有した唐箕本体構造体の前記唐箕ケース本体と、前記選別部機壁の間に、前記選別部構造体と前記唐箕本体構造体を各別に作製して連結した唐箕連結線を備えてあるコンバイン用脱穀機。
【発明の詳細な説明】
【技術分野】
【０００１】
本発明は、刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機に関する。
【背景技術】
【０００２】
たとえば、２条刈りや３条刈り型のコンバインにおいて、刈取り可能な穀稈の植付け条数が同じであっても、高速で刈取り走行できる機種と、刈取り走行がさほど高速で行なえなくてもよい機種を必要とされることがある。
刈取り処理される植立穀稈の条数が同じであっても、刈取り走行される速度が速いコンバインにあっては、脱穀機に供給される刈取穀稈の量が多くなり、処理能力が比較的高い脱穀機を備えさせる必要がある。刈取り走行される速度が同一であっても、あまり相違しなくても、刈取り処理される植立穀稈の条数が少ないコンバインにあっては、脱穀機に供給される刈取穀稈の量が少なくなり、処理能力が比較的低い脱穀機で済む。
３条刈りコンバインを構成するための処理能力を、脱穀部、選別部、排出部の全ての面で備えたものとして製作した脱穀機を採用して、２条刈り高速型のコンバインを構成した場合、脱穀機のために重量化するとともにコスト高になる。２条刈りコンバインを構成するための処理能力を、脱穀部、選別部、排出部の全ての面で備えたものとして製作した脱穀機を採用して、３条刈りコンバインを構成した場合、低速型であっても、脱穀機に扱き不足などの処理不良が発生しやすくなる。
このため、従来、たとえば２条刈の低速型コンバインを構成するための脱穀機と、２条刈の高速型コンバインを構成するための脱穀機と、３条刈のコンバインを構成するための脱穀機を別々に製作するなど、構成するコンバインの機種毎に対応させた専用の脱穀機を製作することにより、コンバインの多機種化を可能にされていた。（この先行技術を明示する適切な文献情報が無く、記載せず。）
【発明の開示】
【発明が解決しようとする課題】
【０００３】
従来の脱穀機にあっては、コンバインの機種数に等しい数の種類の成形型を準備し、コンバインの機種数に等しい数の種類の脱穀機側壁を製作して、処理能力がコンバイン機種に対応するものになった各種の脱穀機を構成する必要があり、コスト面で不利になっていた。
【０００４】
本発明の目的は、処理能力が異なる状態に重量面やコスト面などで有利にできるコンバイン用脱穀機を提供することにある。
【課題を解決するための手段】
【０００５】
本第１発明にあっては、刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機において、前記扱室、扱胴、受網を有した脱穀部構造体の脱穀部機壁と、前記選別室、揺動選別装置、１番コンベヤ、２番コンベヤ、排ワラ搬出室、排塵ファンを有した選別排出部構造体の選別排出部機壁の間に、前記脱穀部構造体と前記選別排出部構造体を各別に作製して連結した脱穀選別排出連結線を備え、前記唐箕の回転送風体、この回転送風体を回転自在に支持する唐箕ケース本体を有した唐箕本体構造体の前記唐箕ケース本体と、前記選別排出部機壁の間に、前記唐箕本体構造体と前記選別排出部構造体を各別に作製して連結した唐箕連結線を備えてある。
【０００６】
すなわち、たとえば脱穀部構造体、選別排出部構造体のそれぞれとして、２条刈り低速型のコンバインを構成するのに適した処理能力を備えた少量処理用のものと、３条刈り高速型のコンバインを構成するのに適した処理能力を備えた大量処理用のものの２種類を準備し、唐箕本体構造体として送風能力が大中小異なる３種類のものを準備し、各構造体を適切に組み合わせて連結するという製作方法を採用して、２条刈り低速型のコンバインを構成したり、２条刈り高速型や３条刈り低速型のコンバインを構成したり、３条刈り高速型のコンバインを構成するのに適した処理能力を過不足なく備えた脱穀機を得られるものである。
【０００７】
すなわち、大量処理用に製作した脱穀部構造体、選別排出部構造体、大送風能力を備えるように製作した唐箕本体構造体を組み合わせて、脱穀選別排出連結線、唐箕連結線で連結する。すると、脱穀部、選別部、排出部のそれぞれが大処理能力を備えた脱穀機になることにより、３条の植立穀稈を高速で走行しながら刈取り処理されるコンバイン用機体に搭載されて多量の刈取穀稈が脱穀部に迅速に供給され、多量の脱穀処理物が選別部に迅速に供給されることになっても、脱穀および選別処理が不足なく行なわれる脱穀機になる。すなわち、３条刈り高速型のコンバインを構成するのに適した処理能力を備えた脱穀機になる。
【０００８】
大量処理用に製作した脱穀部構造体、少量処理用に製作した選別排出部構造体、中送風能力を備えるように製作した唐箕本体構造体を組み合わせて、脱穀選別排出連結線、唐箕連結線で連結する。すると、脱穀部が大処理能力を備え、唐箕が中送風能力を備えて選別部及び排出部の小処理能力を補足する脱穀機になる。
３条の植立穀稈が低速で走行しながら刈取り処理されるコンバインや、２条の植立穀稈が高速で走行しながら刈取り処理されるコンバインの場合、３条刈り高速型のコンバインに比して少ない量で、２条刈り低速型のコンバインに比して多い量で刈取穀稈が脱穀部に、かつ、脱穀処理物が選別部にそれぞれ供給されるが、脱穀部が大処理能力を備えていて、脱穀処理を不足なく行う。また、選別部が脱穀部の処理能力に比して低い処理能力を備えるものであるが、脱穀部が脱穀処理物を選別部に次第に落下するように若干滞留させることが可能になり、また、唐箕から供給される選別風が選別処理能力を向上させることから、選別処理が不足なく行なわれるようになる。これにより、３条刈り低速型であるコンバイン用機体に搭載されても、２条刈り高速型のコンバイン用機体に搭載されても、脱穀および選別処理が不足なく行なわれる脱穀機になる。しかも、選別排出部構造体も大量処理用に製作したものを採用するに比して軽量かつ安価な脱穀機になる。すなわち、３条刈り低速型のコンバインや、２条刈り高速型のコンバインを構成するのに適した処理能力を備え、かつ重量および経費の面で過剰にならない脱穀機になる。
【０００９】
小量処理用に製作した脱穀部構造体、選別排出部構造体、小送風能力を備えるように製作した唐箕本体構造体を組み合わせて、脱穀選別排出連結線、唐箕連結線で連結する。すると、脱穀部、選別部、排出部のそれぞれが小処理能力を備えたものになることにより、２条の植立穀稈が低速で走行しながら刈取り処理されるコンバイン用機体に搭載されると、脱穀および選別処理が過不足なく行なわれる脱穀機になる。すなわち、２条刈の低速型コンバインを構成するのに適した処理能力を備えた脱穀機になる。
【００１０】
つまり、コンバイン用脱穀機を構成するのに、各別に製作するとともに異なる処理能力を備えた複数種類の脱穀部構造体、選別排出部構造体、唐箕本体構造体を適切に組み合わせて連結するという製作方法を採用し、たとえば同一種類の脱穀部構造体を採用して２条刈り高速型用の脱穀機も、３条刈り用の脱穀機も製作するという如く各構造体の共通化を図りながら処理能力が異なった状態に構成できる。
【００１１】
従って、本第１発明によれば、処理能力が異なるコンバインを構成するべく、脱穀および選別処理能力が異なった状態の脱穀機を構成するのに、たとえば同一種類の脱穀部構造体を採用して２条刈り高速型用の脱穀機も、３条刈り用の脱穀機も得るという如く脱穀部構造体、選別排出部構造体を共通化させて、部材の製作に必要な手間やコストを低減しながら構成することができ、全体としてコストダウンできる。
また、処理能力の割には重くなるとか高価にならないようにしながら、コンバインに対応した適切な処理能力を備えた状態に構成でき、処理能力が異なる各種のコンバインを、重くなり過ぎないとか高価になり過ぎないようにして得ることができる。
【００１２】
本第２発明にあっては、刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機において、前記扱室、扱胴、受網を備えた脱穀部構造体の脱穀部機壁と、前記選別室、揺動選別装置、１番コンベヤ、２番コンベヤ、唐箕を有した選別部構造体の選別部機壁の間に、前記脱穀部構造体と前記選別部構造体を各別に作製して連結した脱穀選別連結線を備え、前記排ワラ搬出室、排塵ファンを有した排出部構造体の排出部機壁と、前記脱穀部機壁の間に、前記排出部構造体と前記脱穀部構造体を各別に作製して連結した脱穀排出連結線を備え、前記選別部機壁と前記排出部機壁の間に、前記選別部構造体と前記排出部構造体を各別に作製して連結した選別排出連結線を備えてある。
【００１３】
すなわち、たとえば脱穀部構造体、選別部構造体のそれぞれとして、２条刈り低速型のコンバインを構成するのに適した処理能力を備えた少量処理用のものと、３条刈り高速型のコンバインを構成するのに適した処理能力を備えた大量処理用のものの２種類を準備し、排出部構造体として排塵能力が大中小異なる３種類のものを準備し、各構造体を適切に組み合わせて連結するという製作方法を採用して、２条刈り低速型のコンバインを構成したり、２条刈り高速型や３条刈り低速型のコンバインを構成したり、３条刈り高速型のコンバインを構成するのに適した処理能力を過不足なく備えた脱穀機を得られるものである。
【００１４】
すなわち、大量処理用に製作した脱穀部構造体、選別部構造体、大排塵能力を備えるように製作した排出部構造体を組み合わせて、脱穀選別連結線、脱穀排出連結線、選別排出連結線で連結する。すると、脱穀部、選別部、排出部のそれぞれが大処理能力を備えた脱穀機になることにより、３条の植立穀稈を高速で走行しながら刈取り処理されるコンバイン用機体に搭載されて多量の刈取穀稈が脱穀部に迅速に供給され、多量の脱穀処理物が選別部に迅速に供給されることになっても、脱穀および選別処理が不足なく行なわれる脱穀機になる。すなわち、３条刈り高速型のコンバインを構成するのに適した処理能力を備えた脱穀機になる。
【００１５】
大量処理用に製作した脱穀部構造体、少量処理用に製作した選別部構造体、中排塵能力を備えるように製作した排出部構造体を組み合わせて、脱穀選別連結線、脱穀排出連結線、選別排出連結線で連結する。すると、脱穀部が大処理能力を備え、排出部が中排塵能力を備えて選別部の小処理能力を補足する脱穀機になる。
３条の植立穀稈が低速で走行しながら刈取り処理されるコンバインや、２条の植立穀稈が高速で走行しながら刈取り処理されるコンバインの場合、３条刈り高速型のコンバインに比して少ない量で、２条刈り低速型のコンバインに比して多い量で刈取穀稈が脱穀部に、かつ、脱穀処理物が選別部にそれぞれ供給されるが、脱穀部が大処理能力を備えていて、脱穀処理を不足なく行う。また、選別部が脱穀部の処理能力に比して低い処理能力を備えるものであるが、脱穀部が脱穀処理物を選別部に次第に落下するように若干滞留させることが可能になり、また、排出部の排塵能力が選別部の処理能力を向上させることから、選別処理が不足なく行なわれるようになる。これにより、３条刈り低速型のコンバイン用機体に搭載されても、２条刈り高速型のコンバイン用機体に搭載されても、脱穀および選別処理が不足なく行なわれる脱穀機になる。しかも、選別部構造体および排出部構造体も大量処理用に製作したものを採用するに比して軽量かつ安価な脱穀機になる。すなわち、３条刈り低速型や２条刈り高速型のコンバインを構成するのに適した処理能力を備え、かつ重量および経費の面で過剰にならない脱穀機になる。
【００１６】
小量処理用に製作した脱穀部構造体、選別部構造体、小排塵能力を備えるように製作した排出部構造体を組み合わせて、脱穀選別連結線、脱穀排出連結線、選別排出連結線で連結する。すると、脱穀部、選別部、排出部のそれぞれが小処理能力を備えたものになることにより、２条の植立穀稈が低速で走行しながら刈取り処理されるコンバイン用機体に搭載されると、脱穀および選別処理が過不足なく行なわれる脱穀機になる。すなわち、２条刈の低速型コンバインを構成するのに適した処理能力を備えた脱穀機になる。
【００１７】
つまり、コンバイン用脱穀機を構成するのに、各別に製作するとともに異なる処理能力を備えた複数種類の脱穀部構造体、選別部構造体、排出部構造体を適切に組み合わせて連結するという製作方法を採用し、たとえば同一種類の脱穀部構造体を採用して２条刈り高速型用の脱穀機も、３条刈り用の脱穀機も製作するという如く各構造体の共通化を図りながら処理能力が異なった状態に構成できる。
【００１８】
従って、本第２発明によれば、処理能力が異なるコンバインを構成するべく、脱穀および選別処理能力が異なった状態の脱穀機を構成するのに、たとえば同一種類の脱穀部構造体を採用して２条刈り高速型用の脱穀機も、３条刈り用の脱穀機も得るという如く脱穀部構造体、選別部構造体を共通化させて、部材の製作に必要な手間やコストを低減しながら構成することができ、全体としてコストダウンできる。
また、処理能力の割には重くなるとか高価にならないようにしながら、コンバインに対応した適切な処理能力を備えた状態に構成でき、処理能力が異なる各種のコンバインを、重くなり過ぎないとか高価になり過ぎないようにして得ることができる。
【００１９】
本第３発明にあっては、刈取穀稈の穂先側が扱室に供給されて回動する扱胴と、受網によって扱き処理される脱穀部、この脱穀部から脱穀処理物が選別室に落下供給され、その脱穀処理物を揺動選別装置と、唐箕からの選別風によって選別処理し、一番処理物を1番コンベヤによって搬出し、二番処理物を２番コンベヤによって搬出する選別部、前記脱穀部の後方で脱穀排ワラを機体外に搬出する排ワラ搬出室を有するとともに前記選別部からの塵埃を排塵ファンによって機体外に排出する排出部を備えたコンバイン用脱穀機において、前記扱室、扱胴、受網、排ワラ搬出室、排塵ファンを有した脱穀排出部構造体の脱穀排出部機壁と、前記選別室、揺動選別装置、１番コンベヤ、２番コンベヤを備えた選別部構造体の選別部機壁の間に、前記脱穀排出部構造体と前記選別部構造体を各別に作製して連結した脱穀排出選別連結線を備え、前記唐箕の回転送風体、この回転送風体を回転自在に支持する唐箕ケース本体を有した唐箕本体構造体の前記唐箕ケース本体と、前記選別部機壁の間に、前記選別部構造体と前記唐箕本体構造体を各別に作製して連結した唐箕連結線を備えてある。
【００２０】
すなわち、たとえば脱穀排出部構造体、選別部構造体のそれぞれとして、２条刈り低速型のコンバインを構成するのに適した処理能力を備えた少量処理用のものと、３条刈り高速型のコンバインを構成するのに適した処理能力を備えた大量処理用のものの２種類を準備し、唐箕本体構造体として送風能力が大中小異なる３種類のものを準備し、各構造体を適切に組み合わせて連結するという製作方法を採用して、２条刈り低速型のコンバインを構成したり、２条刈り高速型や３条刈り低速型のコンバインを構成したり、３条刈り高速型のコンバインを構成するのに適した処理能力を過不足なく備えた脱穀機を得られるものである。
【００２１】
すなわち、大量処理用に製作した脱穀排出部構造体、選別部構造体、大送風能力を備えるように製作した唐箕本体構造体を組み合わせて、脱穀排出選別連結線、唐箕連結線で連結する。すると、脱穀部、選別部、排出部のそれぞれが大処理能力を備えた脱穀機になることにより、３条の植立穀稈を高速で走行しながら刈取り処理されるコンバイン用機体に搭載されて多量の刈取穀稈が脱穀部に迅速に供給され、多量の脱穀処理物が選別部に迅速に供給されることになっても、脱穀および選別処理が不足なく行なわれる脱穀機になる。すなわち、３条刈り高速型のコンバインを構成するのに適した処理能力を備えた脱穀機になる。
【００２２】
大量処理用に製作した脱穀排出部構造体、少量処理用に製作した選別部構造体、中送風能力を備えるように製作した唐箕本体構造体を組み合わせて、脱穀排出選別連結線、唐箕連結線で連結する。すると、脱穀部が大処理能力を備え、唐箕が中送風能力を備えて選別部の小処理能力を補足する脱穀機になる。
３条の植立穀稈が低速で走行しながら刈取り処理されるコンバインや、２条の植立穀稈が高速で走行しながら刈取り処理されるコンバインの場合、３条刈り高速型のコンバインに比して少ない量で、２条刈り低速型のコンバインに比して多い量で刈取穀稈が脱穀部に、かつ、脱穀処理物が選別部にそれぞれ供給されるが、脱穀部が大処理能力を備えていて、脱穀処理を不足なく行う。また、選別部が脱穀部の処理能力に比して低い処理能力を備えるものであるが、脱穀部が脱穀処理物を選別部に次第に落下するように若干滞留させることが可能になり、また、唐箕から供給される選別風が選別処理能力を向上させることから、選別処理が不足なく行なわれるようになる。これにより、３条刈り低速型であるコンバイン用機体に搭載されても、２条刈り高速型のコンバイン用機体に搭載されても、脱穀および選別処理が不足なく行なわれる脱穀機になる。しかも、選別部構造体も大量処理用に製作したものを採用するに比して軽量かつ安価な脱穀機になる。すなわち、３条刈り低速型のコンバインや、２条刈り高速型のコンバインを構成するのに適した処理能力を備え、かつ重量および経費の面で過剰にならない脱穀機になる。
【００２３】
小量処理用に製作した脱穀排出部構造体、選別部構造体、小送風能力を備えるように製作した唐箕本体構造体を組み合わせて、脱穀排出選別連結線、唐箕連結線で連結する。すると、脱穀部、選別部、排出部のそれぞれが小処理能力を備えたものになることにより、２条の植立穀稈が低速で走行しながら刈取り処理されるコンバイン用機体に搭載されると、脱穀および選別処理が過不足なく行なわれる脱穀機になる。すなわち、２条刈の低速型コンバインを構成するのに適した処理能力を備えた脱穀機になる。
【００２４】
つまり、コンバイン用脱穀機を構成するのに、各別に製作するとともに異なる処理能力を備えた複数種類の脱穀排出部構造体、選別部構造体、唐箕本体構造体を適切に組み合わせて連結するという製作方法を採用し、たとえば同一種類の脱穀排出部構造体を採用して２条刈り高速型用の脱穀機も、３条刈り用の脱穀機も製作するという如く各構造体の共通化を図りながら処理能力が異なった状態に構成できる。
【００２５】
従って、本第３発明によれば、処理能力が異なるコンバインを構成するべく、脱穀および選別処理能力が異なった状態の脱穀機を構成するのに、たとえば同一種類の脱穀排出部構造体を採用して２条刈り高速型用の脱穀機も、３条刈り用の脱穀機も得るという如く脱穀排出部構造体、選別部構造体を共通化させて、部材の製作に必要な手間やコストを低減しながら構成することができ、全体としてコストダウンできる。
また、処理能力の割には重くなるとか高価にならないようにしながら、コンバインに対応した適切な処理能力を備えた状態に構成でき、処理能力が異なる各種のコンバインを、重くなり過ぎないとか高価になり過ぎないようにして得ることができる。
【発明を実施するための最良の形態】
【００２６】
以下、本発明の実施例を図面に基づいて説明する。
〔第１実施形態〕
図１に示すように、脱穀機体内の上部の前側に位置する扱室１１、この扱室内に位置する扱胴１２などを有した脱穀部１０、前記扱胴１２の下方に位置する揺動選別装置２１などを有した選別部２０、前記扱室１１の後方に位置する排塵ファン３１などを有した排出部３０を備えて、脱穀機Ｄ１を構成してある。
この脱穀機Ｄ１は、コンバインを構成するものであり、詳しくは次の如く構成してある。
【００２７】
すなわち、脱穀部１０は、前記扱室１１、脱穀機体前後向きの軸芯１２ａまわりで回動駆動される前記扱胴１２、この扱胴１２の下方に位置する受網１３などを備えて構成してあり、脱穀機体の横外側に駆動回動自在に設けるとともに扱室１１の扱き口１４に搬送側が沿っている脱穀フィードチェーン１によってコンバインの刈取り前処理部からの刈取穀稈の株元側を脱穀機体後方向きに挟持搬送することによってその刈取穀稈の穂先側を扱室１１に供給し、その穂先側を扱胴１２と受網１３によって扱き処理し、脱穀粒やワラ屑などの脱穀処理物を、受網１３や扱室１１の送塵口１５から選別部２０の選別室２２に漏下又は落下させ、脱穀排ワラを脱穀フィードチェーン１によって扱室１１の送塵口１５から排出部３０に搬出する。
【００２８】
選別部２０は、扱室１１の下方に位置する選別室２２、この選別室内の上部に脱穀機体前後方向に揺動するように駆動自在に設けた前記揺動選別装置２１、この揺動選別装置２１の前端側の下方に位置する唐箕４０、揺動選別装置２１の下方で選別室２２の底部に位置する１番スクリューコンベヤ２３及び２番スクリューコンベヤ２４を備えて構成してある。
【００２９】
図１，２などに示すように、唐箕４０は、左右の選別排出部横側壁６１，６２にわたって取り付けた唐箕ケース本体４１と、前記左右の選別排出部横側壁６１，６２それぞれの前端部と、左右の選別排出部横側壁６１，６２にわたって取付けた送風体ケース部４７で成る唐箕ケース４２、この唐箕ケース４２の内部に脱穀機体横向きの軸芯４３ａまわりで駆動回動されるように設けた回転自在な回転送風体４３を備えて構成してあり、回動する回転送風体４３により唐箕ケース本体４１の左右の側板４１ａそれぞれに位置する吸気口４４から脱穀機体外の空気を吸引して選別風を発生させ、この選別風を選別室２２に脱穀機体後方向きに供給する。
【００３０】
これにより、選別部２０は、受網１３や送塵口１５から漏下または落下した脱穀粒やワラ屑などの脱穀処理物を揺動選別装置２１によって受け止め、この揺動選別装置２１による揺動選別と、唐箕４０からの選別風によって穀粒と、ワラ屑などの塵埃に選別し、精粒を１番スクリューコンベヤ２３に落下させてこの１番スクリューコンベヤ２３によって脱穀機体の横外側に搬出し、未処理粒を２番スクリューコンベヤ２４に落下させてこの２番スクリューコンベヤ２４によって脱穀機体の横外側に搬送し、この２番スクリューコンベヤ２４の搬送終端部に接続している揚送装置２によって脱穀機体前側の扱室下部のレベルまで揚送して脱穀機壁の投入口（図示せず）から脱穀機体内に投入して揺動選別装置２１の前端部に還元する。塵埃を揺動選別装置２１の後方に位置する選別室２２の排出口２６から脱穀機体外に排出するようになっている。
【００３１】
排出部３０は、扱室１１の前記送塵口１５に連通している排ワラ搬出室３２、脱穀機体横向きの軸芯まわり回動するように駆動される前記排塵ファン３１を備えて構成してあり、扱室１１の送塵口１５から搬出された脱穀排ワラを排ワラ搬出室３２に設けられる排ワラ搬送装置（図示せず）によって脱穀フィードチェーン１から受け継いで脱穀機体に対して穂先側に寄せながら排塵ファン３１の上方を通して脱穀機体後方向きに搬送して、排ワラ搬出室３２の後部に位置する送出口３４から脱穀機体の後方に排出するようになっている。また、選別部２０で発生した塵埃を選別風と共に排塵ファン３１によって吸引し、排塵ファン３１のファンケースの吐出口３５から脱穀機体の後方に排出するようになっている。
【００３２】
図２に示すように、脱穀機体の扱き口１４が存在する方の横側壁すなわち左横側壁、及び、扱き口１４が存在しない方の横側壁すなわち右横側壁に、一端側部分Ａ１ｆ，Ａ２ｆが脱穀機体前後方向に沿い、他端側部分Ａ１ｒ，Ａ２ｒが脱穀機体上下方向に沿った脱穀選別排出連結線Ａ１，Ａ２、及び、一端側部分Ｂｆが脱穀機体前後方向に沿い、他端側部分Ｂｒが脱穀機体上下方向に沿った唐箕連結線Ｂを設けてある。
【００３３】
前記左横側壁の方の脱穀選別排出連結線Ａ１は、扱室１１などを有した脱穀部構造体５０の脱穀機体左側の脱穀部横側壁５１と、選別室２２などを有した選別排出部構造体６０の脱穀機体左側の選別排出部横側壁６１の間に設け、前記右横側壁の方の脱穀選別排出連結線Ａ２は、前記脱穀部構造体５０の脱穀機体右側の脱穀部横側壁５２と、前記選別排出部構造体６０の脱穀機体右側の選別排出部横側壁６２の間に設けてあり、前記各脱穀選別排出連結線Ａ１，Ａ２は、前記脱穀部構造体５０と前記選別排出部構造体６０を各別に作製して連結した部位を示している。
【００３４】
前記左横側壁の方の唐箕連結線Ｂは、唐箕４０の回転送風体４３を有した唐箕本体構造体４８の唐箕ケース本体４１の脱穀機体左側に位置する側板４１ａと、前記選別排出部構造体６０の脱穀機体左側の選別排出部横側壁６１、及び、脱穀部構造体５０の脱穀機体左側の脱穀部横側壁５１の間に設け、前記右横側壁の方の唐箕連結線Ｂは、前記唐箕本体構造体４８の唐箕ケース本体４１の脱穀機体右側に位置する側板４１ａと、前記選別排出部構造体６０の脱穀機体右側の選別排出部横側壁６２、及び、脱穀部構造体５０の脱穀機体右側の脱穀部横側壁５２の間に設けてあり、前記各唐箕連結線Ｂは、前記唐箕本体構造体４８と、前記選別排出部構造体６０と、前記脱穀部構造体５０を各別に作製して連結した部位を示している。
【００３５】
図２，３などに示すように、前記脱穀部構造体５０は、脱穀機体左側の前記脱穀部横側壁５１、脱穀機体右側の前記脱穀部横側壁５２、扱室前壁５３、扱室後壁５４、扱室天板５５などを有した脱穀部機壁、前記扱胴１２、前記受網１３を備えて構成してある。
【００３６】
図２，３などに示すように、選別排出部構造体６０は、前記脱穀機体左側の選別排出部横側壁６１、前記脱穀機体右側の選別排出部横側壁６２などを有した選別排出部機壁、前記送風体ケース部４７、揺動選別装置２１、一番スクリューコンベヤ２３、二番スクリューコンベヤ２４、排塵ファン３１を備えて構成してある。
【００３７】
図３などに示すように、唐箕本体構造体４８は、前記唐箕ケース本体４１、この唐箕ケース本体４１の左右側板４１ａにわたって回動自在に取り付けた前記回転送風体４３を備えて構成してある。
【００３８】
つまり、低速型の２条刈りコンバインを構成する脱穀機よりも、高速型の２条刈りコンバインや低速型の３条刈りコンバインを構成する脱穀機の方が高い脱穀及び選別処理能力を備えさせ、高速型の２条刈りコンバインや低速型の３条刈りコンバインを構成する脱穀機よりも、高速型の３条刈りコンバインを構成する脱穀機の方が高い脱穀及び選別処理能力を備えさせる必要がある。このため、この脱穀機Ｄ１にあっては、次の製作方法に基づいて作製するように構成してある。
すなわち、脱穀部構造体５０として、小処理能力型の脱穀部構造体と大処理能力型の脱穀部構造体を各別に製作しておく。小処理能力型の脱穀部構造体は、回転軸芯１２ａに沿う方向での長さが短尺の扱胴１２によって扱き処理するように構成したものであり、大処理能力型の脱穀部構造体は、回転軸芯１２ａに沿う方向での長さが前記短尺扱胴より長い長尺の扱胴１２によって扱き処理するように構成したものである。
【００３９】
選別排出部構造体６０として、小処理能力型の選別排出部構造体と、大処理能力型の選別排出部構造体を各別に作製しておく。小処理能力型の選別排出部構造体は、図８（イ）に示す如く脱穀機体横幅方向に沿う方向での横幅がＷ１である小横幅の揺動選別装置２１によって選別処理するように構成したものであり、大処理能力型の選別排出部構造体は、図８（ロ）に示す如く脱穀機体横幅方向に沿う方向での横幅が前記Ｗ１より大のＷ２である大横幅の揺動選別装置２１によって選別処理するように構成したものである。
【００４０】
唐箕本体構造体４８として、小処理能力型の唐箕本体構造体と、中処理能力型の唐箕本体構造体と、大処理能力型の唐箕本体構造体を各別に製作しておく。小処理能力型の唐箕本体構造体は、回転送風体４３の羽根数と大きさの一方や両方を適切なものに設定することによって小送風能力を備えさせ、かつ、図８（イ）に示す如く唐箕ケース本体４１を前記小型の選別排出部構造体の左右の選別排出部横側壁６１，６２にわたって取り付けられるように、唐箕ケース本体４１の脱穀機体横幅方向での長さを小型の選別排出部構造体の脱穀機体横幅方向での大きさに適応した大きさのＦ１にしたものである。中処理能力型の唐箕本体構造体は、回転送風体４３の羽根数と大きさの一方や両方を適切なものに設定することによって中送風能力を備えさせ、かつ、唐箕ケース本体４１を前記小型の選別排出部構造体の左右の選別排出部横側壁６１，６２にわたって取り付けられるように、唐箕ケース本体４１の脱穀機体横幅方向での長さを小型の選別排出部構造体の脱穀機体横幅方向での大きさに適応した大きさのＦ１にしたものである。大処理能力型の唐箕本体構造体は、回転送風体４３の羽根数と大きさの一方や両方を適切なものに設定することによって大送風能力を備えさせ、かつ、図８（ロ）に示す如く唐箕ケース本体４１を前記大型の選別排出部構造体の左右の選別排出部横側壁６１，６２にわたって取り付けられるように、唐箕ケース本体４１の脱穀機体横幅方向での長さを大型の選別排出部構造体の脱穀機体横幅方向での大きさに適応した大きさのＦ２にしたものである。
【００４１】
そして、小処理能力型の脱穀部構造体と、小処理能力型の選別排出部構造体と、小処理能力型の唐箕本体構造体を組み合わせて前記左右の脱穀選別排出連結線Ａ１，Ａ２及び唐箕連結線Ｂで連結することにより、低速型の２条刈りコンバインを構成する脱穀機を製作する。大処理能力型の脱穀部構造体と、小処理能力型の選別排出部構造体と、中処理能力型の唐箕本体構造体を組み合わせて前記左右の脱穀選別排出連結線Ａ１，Ａ２及び唐箕連結線Ｂで連結することにより、高速型の２条刈りコンバインや低速型の３条刈りコンバインを構成する脱穀機を製作する。大処理能力型の脱穀部構造体と、大処理能力型の選別排出部構造体と、大処理能力型の唐箕本体構造体を組み合わせて前記左右の脱穀選別排出連結線Ａ１，Ａ２及び唐箕連結線Ｂで連結することにより、高速型の３条刈りコンバインを構成する脱穀機を製作するようにしてある。
【００４２】
〔第２実施形態〕
図４は、第２実施形態を備えたコンバイン用脱穀機Ｄ２を示し、この脱穀機Ｄ２にあっては、第１実施形態の脱穀機Ｄ１が備える脱穀部１０、選別部２０、排出部３０と同様に構成した脱穀部１０、選別部２０、排出部３０を備えて構成してある。この脱穀機Ｄ２にあっては、次の点で第１実施形態を備えた脱穀機Ｄ１と相違しており、この相違点について次に説明する。
【００４３】
図４に示すように、唐箕４０は、左右の選別部横側壁７１の前端部どうしにわたって取り付けた唐箕ケース本体４１、前記左右の選別部横側壁７１それぞれの前端部、左右の選別部横側壁７１の前端部どうしにわたって取付けた送風体ケース部４７のそれぞれを備えて成る唐箕ケース４２と、この唐箕ケース４２の内部に脱穀機体横向きの軸芯４３ａまわりで駆動回動されるように設けた回転自在な回転送風体４３を備えて構成してあり、回動する回転送風体４３により左右の選別部横側壁７１に位置する吸気口４４から脱穀機体外の空気を吸引して選別風を発生させ、この選別風を選別室２２に脱穀機体後方向きに供給する。
【００４４】
図４に示すように、脱穀機体の扱き口１４が存在する方の横側壁すなわち左横側壁、及び、扱き口１４が存在しない方の横側壁すなわち右横側壁に、脱穀機体前後方向に沿った脱穀選別連結線Ｃ、この脱穀選別連結線Ｃの後端に前端が接続しているとともに脱穀機体前後方向に沿った選別排出連結線Ｅ、前記脱穀選別連結線Ｃと前記選別排出連結線Ｅが接続している部位に下端が位置するとともに脱穀機体上下方向に沿った脱穀排出連結線Ｆ１，Ｆ２を設けてある。
【００４５】
前記左横側壁の方の脱穀選別連結線Ｃは、扱室１１などを有した脱穀部構造体５０の脱穀機体左側の脱穀部横側壁５１と、唐箕４０などを有した選別部構造体７０の脱穀機体左側の選別部横側壁７１の間に設け、前記右横側壁の方の脱穀選別連結線Ｃは、前記脱穀部構造体５０の脱穀機体右側の脱穀部横側壁５２と、前記選別部構造体７０の脱穀機体右側の選別部横側壁７１の間に設けてあり、各脱穀選別連結線Ｃは、脱穀部構造体５０と選別部構造体７０を各別に作製して連結した部位を示している。
【００４６】
前記左横側壁の方の選別排出連結線Ｅは、排塵ファン３１を有した排出部構造体８０の脱穀機体左横側の排出部横側壁８１と、前記選別部構造体７０の脱穀機体左側の選別部横側壁７１の間に設け、前記右横側壁の方の選別排出連結線Ｅは、前記排出部構造体８０の脱穀機体右横側の排出部横側壁８２と、前記選別部構造体５０の脱穀機体右横側の選別部横側壁７１の間に設けてあり、各選別排出連結線Ｅは、選別部構造体５０と排出部構造体８０を各別に作製して連結した部位を示している。
【００４７】
前記左横側壁の方の脱穀排出連結線Ｆ１は、脱穀部構造体５０の脱穀機体左横側の脱穀部横側壁５１と、排出部構造体８０の脱穀機体左横側の排出部横側壁８１の間に設け、前記右横側壁の方の脱穀排出連結線Ｆ２は、脱穀部構造体５０の脱穀機体右横側の脱穀部横側壁５２と、排出部構造体８０の脱穀機体右横側の排出部横側壁８２の間に設けてあり、各脱穀排出連結線Ｆ１，Ｆ２は、脱穀部構造体５０と排出部構造体８０を各別に作製して連結した部位を示している。
【００４８】
図４，５に示すように、脱穀部構造体５０は、脱穀機体左側の前記脱穀部横側壁５１、脱穀機体右側の前記脱穀部横側壁５２、扱室前壁５３、扱室後壁５４、扱室天板５５などを有した脱穀部機壁、前記扱胴１２、前記受網１３を備えて構成してある。
【００４９】
図４，５に示すように、選別部構造体７０は、前記脱穀機体左側の選別部横側壁７１、及び、前記脱穀機体右側の選別部横側壁７１を備えた選別部機壁、唐箕４０、揺動選別装置２１、一番スクリューコンベヤ２３、二番スクリューコンベヤ２４を備えて構成してある。
【００５０】
図４，５に示すように、排出部構造体８０は、前記脱穀機体左横側の排出部横側壁８１、及び、前記脱穀機体右横側の排出部横側壁８２を有した排出部機壁、排塵ファン３１を備えて構成してある。
【００５１】
つまり、この脱穀機Ｄ２にあっては、次の製作方法に基づいて作製するように構成してある。
すなわち、すなわち、脱穀部構造体５０として、第１実施形態の脱穀機Ｄ１の項で説明したものと同様の小処理能力型の脱穀部構造体と大処理能力型の脱穀部構造体を各別に製作しておく。
選別部構造体７０として、小処理能力型の選別部構造体と、大処理能力型の選別部構造体を各別に作製しておく。小処理能力型の選別部構造体は、図８（イ）に示す如く脱穀機体横幅方向に沿う方向での横幅がＷ１である小横幅の揺動選別装置２１によって選別処理するように構成したものであり、大処理能力型の選別部構造体は、図８（ロ）に示す如く脱穀機体横幅方向に沿う方向での横幅が前記Ｗ１より大のＷ２である大横幅の揺動選別装置２１によって選別処理するように構成したものである。
排出部構造体８０として、小処理能力型の排出部構造体と、中処理能力型の排出部構造体と、大処理能力型の排出部構造体を各別に製作しておく。小処理能力型の排出部構造体は、排塵ファン３１の羽根の数と大きさの一方や両方を適切なものに設定することによって小送風能力を備えさせたものである。中処理能力型の排出部構造体は、排塵ファン３１の羽根の数と大きさの一方や両方を適切なものに設定することによって中送風能力を備えさせたものである。大処理能力型の排出部構造体は、排塵ファン３１の羽根の数と大きさの一方や両方を適切なものに設定することによって大送風能力を備えさせたものである。
【００５２】
そして、小処理能力型の脱穀部構造体と、小処理能力型の選別部構造体と、小処理能力型の排出部構造体を組み合わせて前記左右の脱穀選別連結線Ｃ、選別排出連結線Ｅ、脱穀排出連結線Ｆ１，Ｆ２で連結することにより、低速型の２条刈りコンバインを構成する脱穀機を製作する。大処理能力型の脱穀部構造体と、小処理能力型の選別部構造体と、中処理能力型の排出部構造体を組み合わせて前記左右の脱穀選別連結線Ｃ、選別排出連結線Ｅ、脱穀排出連結線Ｆ１，Ｆ２で連結することにより、高速型の２条刈りコンバインや低速型の３条刈りコンバインを構成する脱穀機を製作する。大処理能力型の脱穀部構造体と、大処理能力型の選別部構造体と、大処理能力型の排出部構造体を組み合わせて前記左右の脱穀選別連結線Ｃ、選別排出連結線Ｅ、脱穀排出連結線Ｆ１，Ｆ２で連結することにより、高速型の３条刈りコンバインを構成する脱穀機を製作するようにしてある。
【００５３】
この場合、唐箕４０の回転送風体４３の羽根の数を調整することにより、選別部構造体７０として、選別風の送風能力が大、中、小異なるものを構成し、これらを適切に選択して連結することにより、処理能力が異なる脱穀機を構成してもよい。
【００５４】
〔第３実施形態〕
図６は、第３実施形態を備えたコンバイン用脱穀機Ｄ３を示し、この脱穀機Ｄ３にあっては、第１、第２実施形態の脱穀機が備える脱穀部１０、選別部２０、排出部３０と同様に構成した脱穀部１０、選別部２０、排出部３０を備えて構成してある。この脱穀機Ｄ３にあっては、次の点で第１、第２実施形態を備えた脱穀機Ｄ１，Ｄ２と相違しており、この相違点について次に説明する。
【００５５】
図６，７に示すように、この脱穀機Ｄ３の唐箕４０は、左右の選別部横側壁７１にわたって取り付けた唐箕ケース本体４１と、前記左右の選別部横側壁７１それぞれの前端部と、左右の選別部横側壁７１にわたって取付けた送風体ケース部４７で成る唐箕ケース４２、この唐箕ケース４２の内部に脱穀機体横向きの軸芯４３ａまわりで駆動回動されるように設けた回転自在な回転送風体４３を備えて構成してあり、回動する回転送風体４３により唐箕ケース本体４１の左右の側板４１ａそれぞれに位置する吸気口４４から脱穀機体外の空気を吸引して選別風を発生させ、この選別風を選別室２２に脱穀機体後方向きに供給する。
【００５６】
図６に示すように、脱穀機体の扱き口１４が存在する方の横側壁すなわち左横側壁、及び、扱き口１４が存在しない方の横側壁すなわち右横側壁に、一端側部分Ｂｆが脱穀機体前後方向に沿い、他端側部分Ｂｒが脱穀機体上下方向に沿った唐箕連結線Ｂ、この唐箕連結線Ｂの脱穀機体前後方向に沿う部分Ｂｆの後端に前端が接続しているとともに脱穀機体前後方向に沿った脱穀排出選別連結線Ｇを設けてある。
【００５７】
前記左横側壁の方の唐箕連結線Ｂは、唐箕４０の回転送風体４３を有した唐箕本体構造体４８の唐箕ケース本体４１の脱穀機体左側に位置する側板４１ａと、前記選別部構造体７０の脱穀機体左側の選別部横側壁７１、及び、脱穀排出部構造体９０の脱穀機体左側の脱穀排出部横側壁９１の間に設け、前記右横側壁の方の唐箕連結線Ｂは、前記唐箕本体構造体４８の唐箕ケース本体４１の脱穀機体右側に位置する側板４１ａと、前記選別部構造体７０の脱穀機体右側の選別部横側壁７１、及び、脱穀排出部構造体９０の脱穀機体右側の脱穀排出部横側壁９２の間に設けてあり、前記各唐箕連結線Ｂは、前記唐箕本体構造体４３と、前記選別部構造体７０と、前記脱穀排出部構造体９０を各別に作製して連結した部位を示している。
【００５８】
前記左横側壁の方の脱穀排出選別連結線Ｇは、扱室１１、排塵ファン３１などを有した脱穀排出部構造体９０の脱穀機体左側の脱穀排出部横側壁９１と、揺動選別装置２１などを有した選別部構造体７０の脱穀機体左側の選別部横側壁７１の間に設け、前記右横側壁の方の脱穀排出選別連結線Ｇは、前記脱穀排出部構造体９０の脱穀機体右側の脱穀排出部横側壁９２と、前記選別部構造体７０の脱穀機体右側の選別部横側壁７１の間に設けてあり、各脱穀選別連結線Ｇは、脱穀排出部構造体９０と選別部構造体７０を各別に作製して連結した部位を示している。
【００５９】
図６，７に示すように、脱穀排出部構造体９０は、脱穀機体左側の前記脱穀排出部横側壁９１、脱穀機体右側の前記脱穀排出部横側壁９２、扱室前壁５３、扱室後壁５４、扱室天板５５などを有した脱穀排出部機壁、前記扱胴１２、前記受網１３、前記排塵ファン３１、前記排ワラ搬出室３２を備えて構成してある。
【００６０】
図６，７に示すように、選別部構造体７０は、前記脱穀機体左側の選別部横側壁７１、及び、前記脱穀機体右側の選別部横側壁７１を備えた選別部機壁、揺動選別装置２１、一番スクリューコンベヤ２３、二番スクリューコンベヤ２４を備えて構成してある。
【００６１】
図７などに示すように、唐箕本体構造体４８は、前記唐箕ケース本体４１、この唐箕ケース本体４１の左右側板４１ａにわたって回動自在に取り付けた前記回転送風体４３を備えて構成してある。
【００６２】
つまり、この脱穀機Ｄ３にあっては、次の製作方法に基づいて作製するように構成してある。
すなわち、脱穀排出部構造体９０として、小処理能力型の脱穀排出部構造体と大処理能力型の脱穀排出部構造体を各別に製作しておく。小処理能力型の脱穀排出部構造体は、回転軸芯１２ａに沿う方向での長さが短尺の扱胴１２によって扱き処理するように構成したものであり、大処理能力型の脱穀排出部構造体は、回転軸芯１２ａに沿う方向での長さが前記短尺扱胴より長い長尺の扱胴１２によって扱き処理するように構成したものである。
【００６３】
選別部構造体７０として、小処理能力型の選別部構造体と、大処理能力型の選別部構造体を各別に作製しておく。小処理能力型の選別部構造体は、図８（イ）に示す如く脱穀機体横幅方向に沿う方向での横幅がＷ１である小横幅の揺動選別装置２１によって選別処理するように構成したものであり、大処理能力型の選別部構造体は、図８（ロ）に示す如く脱穀機体横幅方向に沿う方向での横幅が前記Ｗ１より大のＷ２である大横幅の揺動選別装置２１によって選別処理するように構成したものである。
【００６４】
唐箕本体構造体４８として、第１実施形態の脱穀機の項で説明したものと同様に、小処理能力型の唐箕本体構造体と、中処理能力型の唐箕本体構造体と、大処理能力型の唐箕本体構造体を各別に製作しておく。
【００６５】
そして、小処理能力型の脱穀排出部構造体と、小処理能力型の選別部構造体と、小処理能力型の唐箕本体構造体を組み合わせて前記左右の脱穀排出選別連結線Ｇ、唐箕連結線Ｂで連結することにより、低速型の２条刈りコンバインを構成する脱穀機を製作する。大処理能力型の脱穀排出部構造体と、小処理能力型の選別部構造体と、中処理能力型の唐箕本体構造体を組み合わせて前記左右の脱穀排出選別連結線Ｇ、唐箕連結線Ｂで連結することにより、高速型の２条刈りコンバインや低速型の３条刈りコンバインを構成する脱穀機を製作する。大処理能力型の脱穀排出部構造体と、大処理能力型の選別部構造体と、大処理能力型の唐箕本体構造体を組み合わせて前記左右の脱穀排出選別連結線Ｇ、唐箕連結線Ｂで連結することにより、高速型の３条刈りコンバインを構成する脱穀機を製作するようにしてある。
【００６６】
図８に示すように、第１、第２、第３いずれの実施形態の脱穀機Ｄ１，Ｄ２，Ｄ３においても、脱穀部構造体５０や脱穀排出部構造体９０のうちの扱室天板５５を備えた上部構造体の扱き口１４が位置する側とは反対側の端部を、受網１３などを備えた下部構造体に対して扱胴回動軸芯１２ａに平行な軸芯Ｐまわりで回動自在に連結し、上部構造体を前記軸芯Ｐまわりで下部構造体に対して上下に揺動操作することにより、扱室１１を開閉できるように構成してある。扱室天板５５は、排ワラ搬出室３２の上方も覆うように形成してあり、扱室１１を開閉する際には排ワラ搬出室３２の上方も開閉するようになっている。また、上部構造体は、扱胴１２を回動自在に支持しており、上昇揺動されると、扱胴１２を扱室１１から持ち上げて扱室１１を開放するようになっている。
【図面の簡単な説明】
【００６７】
【図１】第１実施形態を備えるコンバイン用脱穀機の縦断側面図
【図２】第１実施形態を備えるコンバイン用脱穀機の側面図
【図３】第１実施形態を備えるコンバイン用脱穀機の分解状態での側面図
【図４】第２実施形態を備えるコンバイン用脱穀機の側面図
【図５】第２実施形態を備えるコンバイン用脱穀機の分解状態での側面図
【図６】第３実施形態を備えるコンバイン用脱穀機の側面図
【図７】第３実施形態を備えるコンバイン用脱穀機の分解状態での側面図
【図８】（イ）は、小処理能力型の選別部構造体及び唐箕本体構造体を示す正面図、（ロ）は、大処理能力型の選別部構造体及び唐箕本体構造体を示す正面図
【符号の説明】
【００６８】
１０        脱穀部
１１        扱胴
１２        受網
２０        選別部
２１        揺動選別装置
２２        選別室
２３        一番コンベヤ
２４        二番コンベヤ
３０        排出部
３１        排塵ファン
３２        排ワラ搬出室
４０        唐箕
４１        唐箕ケース本体
４３        回転送風体
４８        唐箕本体構造体
５０        脱穀部構造体
６０        選別排出部構造体
７０        選別部構造体
８０        排出部構造体
９０        脱穀排出部構造体
Ａ１，Ａ２  脱穀選別排出連結線
Ｂ          唐箕連結線
Ｃ          脱穀選別連結線
Ｅ          選別排出連結線
Ｆ１，Ｆ２  脱穀排出連結線
Ｇ          脱穀排出選別連結線
【図１】
2005040087.tif 000003
【図２】
2005040087.tif 000004
【図３】
2005040087.tif 000005
【図４】
2005040087.tif 000006
【図５】
2005040087.tif 000007
【図６】
2005040087.tif 000008
【図７】
2005040087.tif 000009
【図８】
2005040087.tif 000010